(57)【要約】【課題】奥行き寸法が小さい擁壁用ブロックを用いても、許容重積段数を多くすることができると共に、施工後であっても側溝等を設けることができる擁壁、及びその施工方法を提供する。【解決手段】掘削部に１又は複数のサイズの単粒材を敷詰めた基礎材層３上には、平面視矩形枠状の基礎ブロック１が載置してあり、基礎ブロック１の両側壁には滑動防止片５（５）が、その一端を両側壁の上面から突出させて固定してある。そして、基礎ブロック１内に、１又は複数のサイズの単粒材からなる胴込め材Ｄが投入してある。この基礎ブロック１上に擁壁用ブロック２が、その後壁２２が基礎ブロック１の後壁１２上に位置し、その前壁２１が基礎ブロック１に固定した滑動防止片５（５）に当接するように載置してある。【選択図】図１
2005171478.tif 000002
【特許請求の範囲】
【請求項１】
前壁及び後壁を有する筒状の擁壁用ブロックの上に他の擁壁用ブロック複数を、施工対象の法面に倣って階段状に重積し、各擁壁用ブロック内に胴込め材がそれぞれ充填してある擁壁において、
前記擁壁用ブロック下に、前壁及び、この前壁を奥行き方向で支持する支持部を少なくとも有し、天井及び底を開放してなる基礎ブロックが、基礎ブロックの前壁が、前記擁壁用ブロックの前壁より、前記法面から離隔する方向へ突出するように設置してあり、基礎ブロックの設置領域には、前記基礎ブロックの前壁から前記擁壁用ブロックの後壁下又は前記擁壁用ブロックの後壁下近傍まで１又は複数のサイズの単粒材が敷詰めてあることを特徴とする擁壁。
【請求項２】
前記基礎ブロックは、１又は複数のサイズの単粒材を敷詰めてなる基礎材層上に設置してある請求項１記載の擁壁。
【請求項３】
前記擁壁用ブロック内に胴込め材として１又は複数のサイズの単粒材が充填してある請求項１又は２記載の擁壁。
【請求項４】
前記基礎ブロックに、前記擁壁用ブロックの前壁を当接させて、当該擁壁用ブロックの滑動を防止する滑動防止部が設けてある請求項１から３のいずれかに記載の擁壁。
【請求項５】
前壁及び後壁を有する筒状の擁壁用ブロック内に胴込め材を充填し、この擁壁用ブロック上に他の擁壁用ブロックを、施工対象の法面に倣って階段状に重積し、他の擁壁用ブロック内に胴込め材を充填する作業を、複数段の他の擁壁用ブロックについて繰り返して擁壁を施工する方法において、
前記擁壁用ブロック下に、前壁及び、この前壁を奥行き方向で支持する支持部を少なくとも有し、天井及び底を開放してなる基礎ブロックを、基礎ブロックの前壁が、前記擁壁用ブロックの前壁より、前記法面から離隔する方向へ突出するように設置し、基礎ブロックの設置領域に、前記基礎ブロックの前壁から前記擁壁用ブロックの後壁下又は前記擁壁用ブロックの後壁下近傍まで１又は複数のサイズの単粒材を敷詰めることを特徴とする擁壁の施工方法。
【請求項６】
１又は複数のサイズの単粒材を敷詰めて基礎材層を形成し、この基礎材層上に前記基礎ブロックを設置する請求項５記載の擁壁の施工方法。
【請求項７】
前記擁壁用ブロック内に胴込め材として１又は複数のサイズの単粒材を充填する請求項５又は６記載の擁壁の施工方法。
【請求項８】
前記擁壁用ブロックの滑動を防止する滑動防止部が設けてある基礎ブロックを用い、この基礎ブロック上に前記擁壁用ブロックを、当該擁壁用ブロックの前壁が前記滑動防止部に当接するように設置する請求項５から７のいずれかに記載の擁壁の施工方法。
【発明の詳細な説明】
【技術分野】
【０００１】
本発明は、法面の崩落を防止する擁壁、及びこの擁壁を施工する方法に関する。
【背景技術】
【０００２】
地山法面の崩落を防止して護岸を行う擁壁にあっては、擁壁が崩壊する危険を回避して高い安全性を担保すべく、擁壁が、それが施工された支持地盤上を地山から離隔する方向へ移動する、所謂滑動に十分対抗し得ることが重要である。そのため、本出願人は、次のような擁壁を施工していた（たとえば、特許文献１参照。）。
【０００３】
図１２は、本出願人が従来施工した擁壁の一部を示す模式的側断面図であり、図中、Ｎは地山の法面、Ｓは支持地盤である。法面Ｎの下端部及び支持地盤Ｓの法面Ｎに連なる適宜幅の領域は適宜深さまで断面視矩形状に掘削してある。この掘削部の底部は略水平に転圧してあり、この底部上に割栗石、自然石、単粒度砕石及び廃コンクリート塊等の単粒材を表面が略水平な基準面になるように敷詰めて基礎材層３０が形成してある。
【０００４】
基礎材層３０上には、平面視矩形筒状の擁壁用ブロック１２０が法面Ｎ側へ詰めて載置してあり、擁壁用ブロック１２０内及び擁壁用ブロック１２０と法面Ｎとの間には、前記単粒材を用いてなる胴込め材Ｄ及び裏込め材Ｕがそれぞれ投入してある。図１２に示した場合では支持地盤Ｓの表面位置は、基礎材層３０上に載置した擁壁用ブロック１２０の高さ方向の中途位置にあり、この擁壁用ブロック１２０を施工した後、前述した掘削部に土を投入して前記支持地盤Ｓの表面位置まで埋め戻してある。
【０００５】
この擁壁用ブロック１２０内には、擁壁用ブロック１２０の前壁１２１の高さ寸法より小さい高さ寸法を有し、前壁１２１と後壁１２２との間を仕切る仕切り壁１２９が、両側壁１２３（１２３）間に前壁１２１の上面と仕切り壁１２９の上面とが面一になるように架設してあり、下段の擁壁用ブロック１２０上に上段の擁壁用ブロック１２０が、下段の擁壁用ブロック１２０の仕切り壁１２９と上段の擁壁用ブロック１２０の前壁１２１とが一致するように階段状に載置してある。上段の擁壁用ブロック１２０内及び上段の擁壁用ブロック１２０と法面Ｎとの間には胴込め材Ｄ及び裏込め材Ｕがそれぞれ投入してある一方、上段の擁壁用ブロック１２０の前壁１２１、両側壁１２３（１２３）及び仕切り壁１２９で囲まれる部分には、植物を生育すべく客土Ｋが投入してある。
【０００６】
そして、このような操作を所要回数繰り返して、上段の擁壁用ブロック１２０，１２０，…を複数段重積させることによって擁壁が施工してある。
【０００７】
このような擁壁では、以下の（１）式で求められる滑動安全率Ｆｓが例えば１．５を超えていることが求められるが、基礎材層３０とこれに接する擁壁用ブロック１２０とは、当該擁壁用ブロック１２０内に投入した胴込め材Ｄによってつないであるため、例えば有底の擁壁用ブロックを配設した場合に比べて摩擦係数μに大きな値を用いることができ、擁壁の設計上好適である。
Ｆｓ＝ΣＶ・μ／ΣＨ      …（１）
ここで
Ｖ：鉛直荷重
μ：摩擦係数
Ｈ：水平荷重
【０００８】
【特許文献１】特開２０００−１０４２６８号公報
【発明の開示】
【発明が解決しようとする課題】
【０００９】
このような、擁壁では、擁壁の施工に要するコストを低減すべく、擁壁用ブロック１２０の奥行き寸法を可及的に小さくすることによって、擁壁用ブロック１２０の製造コストを低減することが要求されている。しかしながら、かかる奥行き寸法が小さい擁壁用ブロック１２０を用いた場合、次のような問題があった。
【００１０】
即ち、次の（２）式から明らかな如く、擁壁用ブロック１２０の幅寸法Ｂが同じ場合、擁壁用ブロック１２０の奥行き寸法Ｌの値が小さいほど、地盤反力ｑの値は大きい。一方、支持地盤には、単位面積当りの許容地盤反力が予め定まっており、当該許容地盤反力を超える地盤反力ｑとなる擁壁の設計は許されない。従って、奥行き寸法が小さい擁壁用ブロック１２０を用いた場合、それらを重積させることができる許容重積段数が小さい。
ｑ＝２ΣＶ／（ＢＬ）      …（２）
【００１１】
一方、擁壁を施工した後、例えば側溝を設けるべく、前述した掘削部に土を投入して支持地盤Ｓの表面位置まで埋め戻した部分を掘削した場合、基礎材層３０に接する擁壁用ブロック１２０の前壁１２１に与えられる地球からの反力が低下するので、設計した滑動安全率Ｆｓを得ることができない。従って、従来の擁壁では、施工後に側溝を設けることは許されなかった。
【００１２】
本発明は、斯かる事情に鑑みてなされたものであって、奥行き寸法が小さい擁壁用ブロックを用いても、許容重積段数を多くすることができると共に、施工後であっても側溝等を設けることができる擁壁、及びその施工方法を提供する。
【課題を解決するための手段】
【００１３】
請求項１記載の本発明は、前壁及び後壁を有する筒状の擁壁用ブロックの上に他の擁壁用ブロック複数を、施工対象の法面に倣って階段状に重積し、各擁壁用ブロック内に胴込め材がそれぞれ充填してある擁壁において、前記擁壁用ブロック下に、前壁及び、この前壁を奥行き方向で支持する支持部を少なくとも有し、天井及び底を開放してなる基礎ブロックが、基礎ブロックの前壁が、前記擁壁用ブロックの前壁より、前記法面から離隔する方向へ突出するように設置してあり、基礎ブロックの設置領域には、前記基礎ブロックの前壁から前記擁壁用ブロックの後壁下又は前記擁壁用ブロックの後壁下近傍まで１又は複数のサイズの単粒材が敷詰めてあることを特徴とする。
【００１４】
請求項２記載の本発明は、前記基礎ブロックは、１又は複数のサイズの単粒材を敷詰めてなる基礎材層上に設置してあることを特徴とする。
【００１５】
請求項３記載の本発明は、前記擁壁用ブロック内に胴込め材として１又は複数のサイズの単粒材が充填してあることを特徴とする。
【００１６】
請求項４記載の本発明は、前記基礎ブロックに、前記擁壁用ブロックの前壁を当接させて、当該擁壁用ブロックの滑動を防止する滑動防止部が設けてあることを特徴とする。
【００１７】
請求項５記載の本発明は、前壁及び後壁を有する筒状の擁壁用ブロック内に胴込め材を充填し、この擁壁用ブロック上に他の擁壁用ブロックを、施工対象の法面に倣って階段状に重積し、他の擁壁用ブロック内に胴込め材を充填する作業を、複数段の他の擁壁用ブロックについて繰り返して擁壁を施工する方法において、前記擁壁用ブロック下に、前壁及び、この前壁を奥行き方向で支持する支持部を少なくとも有し、天井及び底を開放してなる基礎ブロックを、基礎ブロックの前壁が、前記擁壁用ブロックの前壁より、前記法面から離隔する方向へ突出するように設置し、基礎ブロックの設置領域に、前記基礎ブロックの前壁から前記擁壁用ブロックの後壁下又は前記擁壁用ブロックの後壁下近傍まで１又は複数のサイズの単粒材を敷詰めることを特徴とする。
【００１８】
請求項６記載の本発明は、１又は複数のサイズの単粒材を敷詰めて基礎材層を形成し、この基礎材層上に前記基礎ブロックを設置することを特徴とする。
【００１９】
請求項７記載の本発明は、前記擁壁用ブロック内に胴込め材として１又は複数のサイズの単粒材を充填することを特徴とする。
【００２０】
請求項８記載の本発明は、前記擁壁用ブロックの滑動を防止する滑動防止部が設けてある基礎ブロックを用い、この基礎ブロック上に前記擁壁用ブロックを、当該擁壁用ブロックの前壁が前記滑動防止部に当接するように設置することを特徴とする。
【発明の効果】
【００２１】
請求項１記載の本発明では、前壁及び後壁を有する筒状の擁壁用ブロックの上に他の擁壁用ブロック複数を、施工対象の法面に倣って階段状に重積し、各擁壁用ブロック内に胴込め材がそれぞれ充填してある擁壁において、前記擁壁用ブロック下に、前壁及び、この前壁を奥行き方向で支持する支持部を少なくとも有し、天井及び底を開放してなる基礎ブロックが、基礎ブロックの前壁が、前記擁壁用ブロックの前壁より、前記法面から離隔する方向へ突出するように設置してあり、基礎ブロックの設置領域には、前記基礎ブロックの前壁から前記擁壁用ブロックの後壁下又は前記擁壁用ブロックの後壁下近傍まで１又は複数のサイズの単粒材が敷詰めてあるため、前述した（２）式から明らかな如く重積段数が同じ場合、本発明に係る擁壁の地盤反力は、施工対象に擁壁用ブロックを直接施工した従来の擁壁の地盤反力より小さい。従って、本発明に係る擁壁にあっては、奥行き寸法が小さい擁壁用ブロックを用いた場合であっても、その重積段数を多くすることができる。
【００２２】
一方、このような擁壁にあっては、基礎ブロック上の１段目の擁壁用ブロックの近傍に、１段目の擁壁用ブロックの下縁と略同じ深さの側溝を設ける場合であっても、基礎ブロックに対する地球の反力が低下しない。従って、かかる擁壁を施工した後であっても、前記側溝を施工することができる。
【００２３】
請求項２記載の本発明では、基礎ブロックは、１又は複数のサイズの単粒材を敷詰めてなる基礎材層上に設置してあるため、基礎材層とこれに接する基礎ブロックとは、当該基礎ブロック内に投入した１又は複数のサイズの単粒材によってつながれ、摩擦係数μに大きな値を用いることができ、擁壁の設計上好適である。
【００２４】
請求項３記載の本発明では、基礎ブロック上の１段目の擁壁用ブロック内に胴込め材として１又は複数のサイズの単粒材が充填してあるため、胴込め材の内部摩擦角が大きく、摩擦係数μに大きな値を用いることができる。
【００２５】
請求項４記載の本発明では、基礎ブロックに、前記擁壁用ブロックの前壁を当接させて、当該擁壁用ブロックの滑動を防止する滑動防止部が設けてあるため、該滑動防止部を介して基礎ブロックによって、擁壁用ブロックの滑動が防止され、擁壁の安全性が高い。
【００２６】
請求項５記載の本発明は、前壁及び後壁を有する筒状の擁壁用ブロック内に胴込め材を充填し、この擁壁用ブロック上に他の擁壁用ブロックを、施工対象の法面に倣って階段状に重積し、他の擁壁用ブロック内に胴込め材を充填する作業を、複数段の他の擁壁用ブロックについて繰り返して擁壁を施工する方法において、前記擁壁用ブロック下に、前壁及び、この前壁を奥行き方向で支持する支持部を少なくとも有し、天井及び底を開放してなる基礎ブロックを、基礎ブロックの前壁が、前記擁壁用ブロックの前壁より、前記法面から離隔する方向へ突出するように設置し、基礎ブロックの設置領域に、前記基礎ブロックの前壁から前記擁壁用ブロックの後壁下又は前記擁壁用ブロックの後壁下近傍まで１又は複数のサイズの単粒材を敷詰めるため、請求項１記載の発明と同様、奥行き寸法が小さい擁壁用ブロックを用いても、許容重積段数を多くすることができると共に、施工後であっても側溝等を設けることができる。
【００２７】
請求項６記載の本発明は、１又は複数のサイズの単粒材を敷詰めて基礎材層を形成し、この基礎材層上に前記基礎ブロックを設置するため、請求項２記載の発明と同様、摩擦係数μに大きな値を用いることができ、擁壁の設計上好適である。
【００２８】
請求項７記載の本発明は、擁壁用ブロック内に胴込め材として１又は複数のサイズの単粒材を充填するため、請求項３記載の発明と同様、胴込め材の内部摩擦角が大きく、摩擦係数μに大きな値を用いることができる。
【００２９】
請求項８記載の本発明は、擁壁用ブロックの滑動を防止する滑動防止部が設けてある基礎ブロックを用い、この基礎ブロック上に前記擁壁用ブロックを、当該擁壁用ブロックの前壁が前記滑動防止部に当接するように設置するため、請求項４記載の発明と同様、滑動防止部を介して基礎ブロックによって、擁壁用ブロックの滑動が防止され、安全性の高い擁壁を施工することがきる。
【発明を実施するための最良の形態】
【００３０】
本発明では、前壁及び後壁を有する筒状の擁壁用ブロック内に胴込め材を充填し、この擁壁用ブロック上に他の擁壁用ブロックを、施工対象の法面に倣って階段状に重積し、他の擁壁用ブロック内に胴込め材を充填する作業を、複数段の他の擁壁用ブロックについて繰り返して擁壁を施工する場合、前記擁壁用ブロック下に、即ち１段目の擁壁用ブロック下に、前壁及び、この前壁を奥行き方向で支持する支持部を少なくとも有し、天井及び底を開放してなる基礎ブロックを、基礎ブロックの前壁が、前記擁壁用ブロックの前壁より、前記法面から離隔する方向へ突出するように設置する。そして、基礎ブロックの設置領域に、前記基礎ブロックの前壁から前記擁壁用ブロックの後壁下又は前記擁壁用ブロックの後壁下近傍まで１又は複数のサイズの単粒材を敷詰める。即ち、後壁を有さない基礎ブロックを用いた場合は、１段目の擁壁用ブロックの後壁下まで１又は複数のサイズの単粒材を敷詰める。一方、後壁を有する基礎ブロックを用いた場合、当該基礎ブロックの奥行き寸法が擁壁用ブロックの奥行き寸法以下のときは、基礎ブロック内に１又は複数のサイズの単粒材を敷詰めると共に、基礎ブロックと法面との間に１又は複数のサイズの単粒材の裏込め材を、少なくとも１段目の擁壁用ブロックの後壁下の位置まで敷詰める。また、基礎ブロックの奥行き寸法が擁壁用ブロックの奥行き寸法より大きいときは、当該基礎ブロック内に１又は複数のサイズの単粒材を敷詰める。この単粒材としては、割栗石、自然石、単粒度砕石及び廃コンクリート塊等を用いることができる。そして、単粒材は、Ｓ４０程度以上のサイズが好ましく、５ｍｍ以下の細粒分を含まないサイズにしてある。この単粒材は、１つのサイズのものを用いてもよく、例えば、５０〜１５０ｍｍの割栗石及びＳ４０の砕石の混合材等、複数のサイズのものを用いてもよい。
【００３１】
このとき、１又は複数のサイズの単粒材を敷詰めて基礎材層を形成し、その上に前記基礎ブロックを設置する。
【００３２】
ところで、前述した１段目の擁壁用ブロック内に胴込め材として１又は複数のサイズの単粒材を充填する。
【００３３】
更に、基礎ブロックに、その上に設置された１段目の擁壁用ブロックを当接させ、当該擁壁用ブロックの滑動を防止する滑動防止部を設けておく。
【００３４】
以下、本発明の実施例を図面に基づいて詳述する。
【実施例１】
【００３５】
図１は、本発明に係る擁壁を示す模式的側断面図であり、図中、Ｎは地山の法面、Ｓは支持地盤である。法面Ｎの下端部及び支持地盤Ｓの法面Ｎに連なる適宜幅の領域は適宜深さまで断面視矩形状に掘削してある。この掘削部の底部は略水平に転圧してあり、この底部上に割栗石、自然石、単粒度砕石及び廃コンクリート塊等の単粒材を表面が略水平な基準面になるように敷詰めて基礎材層３が形成してある。この単粒材は、Ｓ４０程度以上のサイズが好ましく、５ｍｍ以下の細粒分を含まないサイズにしてある。また、単粒材は、１つのサイズのものを用いてもよく、例えば、５０〜１５０ｍｍの割栗石及びＳ４０の砕石の混合材等、複数のサイズのものを用いてもよい。
【００３６】
基礎材層３上には、平面視矩形枠状の基礎ブロック１が、基礎ブロック１の後壁１２が法面Ｎに当接するように載置してあり、基礎ブロック１の両側壁には、該基礎ブロック１上に載置される擁壁用ブロック２の滑動を防止する短寸丸棒状の滑動防止片５（５）を、その一端を両側壁の上面から突出させて固定することによって滑動防止部が設けてある。そして、基礎ブロック１内に、基礎材層３と同様の１又は複数のサイズの単粒材からなる胴込め材Ｄが投入してある。
【００３７】
図２は、図１に示した基礎ブロック１の平面図であり、図３は、図１に示した基礎ブロック１の背面図であり、図４は、図１に示した基礎ブロック１の側断面図である。図２〜図４に示した如く、基礎ブロック１は、それぞれ同じ高さ寸法の長方形状の前壁１１、両側壁１３，１３及び後壁１２を矩形枠状に構成してなり、両側壁（支持部）１３，１３の前壁１１との連結部分に、他の部分の厚さ寸法より大きくした厚肉部たる接合部１４，１４を形成して、両側壁１３，１３の他の部分からそれぞれ外側へ突出させてある。一方の接合部１４の側面には、半円筒状の接合用凹部１４ｂが縦に設けてあり、他方の接合部１４の側面には、前記接合用凹部１４ｂに内嵌可能な接合用凸部１４ａが設けてある。
【００３８】
また、前述した両接合部１４，１４上面の適宜位置には、図１に示した滑動防止片５の他端を嵌合させてそれを固定する固定用穴１６，１６が設けてある。なお、本実施例では、側壁１３，１３の接合部１４，１４に固定用穴１６，１６を設けた場合について説明したが、本発明はこれに限らず、両側壁１３，１３間に、前壁１１と平行に梁を架設し、この梁の上面に１又は複数の固定用穴を設けるようにしてもよい。
【００３９】
図５及び図６は、他の滑動防止片の例を示す斜視図である。図２に示した基礎ブロック１に設けた固定用穴１６に固定する他の滑動防止片としては、図５に示した如く、丸棒に六角の頭を設けた滑動防止片５１を用いることもでき、また、図６に示した如く、丸棒の一端近傍の周面に板部材を固定した滑動防止片５２を用いることもできる。なお、固定用穴の形状に応じて、角棒を用いてもよいことはいうまでもない。
【００４０】
一方、滑動防止部としてブロック状の滑動防止片を適用することもできる。
図７は、ブロック状の滑動防止片の一例を示す斜視図である。かかる滑動防止片５３は、図７に示した如く、側立レンガ形の基部５３ａを備え、該基部５３ａの上面に、上段に載置する擁壁用ブロックを当接させる当接部５３ｂが突設してある。
【００４１】
かかるブロック状の滑動防止片５３は、基礎ブロック１の前壁１１と前述した如く両側壁１３，１３間に架設した梁との間に、側壁１３，１３と平行に嵌合させることによって基礎ブロック１に配設する。この場合、前壁１１の内面と、前記梁の前壁１１に対向する面にそれぞれ溝を形成しておき、両溝に滑動防止片５３の両端を嵌合させるようにするとよい。これによって、滑動防止片５３を確実に固定することができる。なお、前壁１１と梁との間に、複数の滑動防止片５３，５３，…を架設するようにしてもよい。
【００４２】
更に、図８に示した如く、基礎ブロック１の接合部１４，１４上面に突設した滑動防止部１４ｃ（１４ｃ）を、基礎ブロック１と一体成型しておいてもよい。
【００４３】
そして、図１に示した如く、前記単粒材からなる胴込め材Ｄを投入した基礎ブロック１上に擁壁用ブロック２が、その後壁２２が基礎ブロック１の後壁１２上に位置し、その前壁２１が基礎ブロック１に固定した滑動防止片５（５）に当接するように載置してある。このように基礎ブロック１の奥行き寸法は、擁壁用ブロック２の奥行き寸法より大きくしてある。
【００４４】
この擁壁用ブロック２は、平面視矩形筒状のブロック本体２０と、該ブロック本体２０内を前後に仕切る仕切り壁２９とから構成されている。
【００４５】
図９、図１０及び図１１は、図１に示した擁壁用ブロック２のブロック本体２０の平面図、背面図及び側断面図である。ブロック本体２０は、長方形状の前壁２１と、前壁２１の長さ寸法より短い長さ寸法及び前壁２１の高さ寸法より低い高さ寸法を有する長方形状の後壁２２との間を、厚肉部及び薄肉部を有する側壁２３，２３で連結してある。両側壁２３，２３は、厚肉部を前壁２１に、薄肉部を後壁２２にそれぞれ連結させてあり、両側壁２３，２３の内面は面一にしてある。従って、両側壁２３，２３の外面は前壁２１側が相対的に凸状に、後壁２２側が相対的に凹状になっている。
【００４６】
この側壁２３，２３の厚肉部の高さ寸法は、前壁２１の高さ寸法と略同じであり、前壁２１の高さ寸法は、図１に示した如く、基礎ブロック１の高さ寸法より高くしてある。また、一方の接合部２４の側面には、半円棒状の接合用凸部２４ａが高さ方向の全領域に渡って、他方の接合部２４の側面には、接合用凸部２４ａを内嵌させる半円筒状の接合用凹部２４ｂが高さ方向の全領域に渡って設けてある。
【００４７】
一方、両側壁２３，２３の厚肉部たる接合部２４，２４から後壁２２側へ延出した薄肉部は、接合部２４，２４から適宜寸法だけ接合部２４，２４の高さ寸法と同じ高さ寸法になした上段部と、それより後壁１２側の部分であって、接合部２４，２４の高さ寸法より低く、後壁２２の高さ寸法より高い高さ寸法になした下段部とを備える階段状にしてある。また、両側壁２３，２３の薄肉部には、側壁２３，２３を貫通する矩形の開口２３ａ，２３ａが設けてある。
【００４８】
これら側壁２３，２３の接合部２４，２４及び薄肉部の上段部の領域の適宜位置には、その上端から前記下段部の上端の高さ位置に渡る第１溝部２５，２５が、互いに対向するように凹設してあり、両第１溝部２５，２５内に、該第１溝部２５，２５の高さ寸法と略同じ高さ寸法を有する平板状の仕切り壁２９（図１参照）を嵌入固定するようになっている。
【００４９】
ところで、前述した両側壁２３，２３の接合部２４，２４上面の適宜位置には、前同様、固定用穴２６，２６が設けてあり、図１に示した如く、固定用穴２６（２６）には、短寸棒状の滑動防止片５（５）の一端が嵌合固定してある。
【００５０】
そして、図１に示した如く、胴込め材Ｄが投入された基礎ブロック１上に載置された擁壁用ブロック２内に、前述した単粒材からなる胴込め材Ｄが投入してあり、擁壁用ブロック２と法面Ｎとの間に、適宜の裏込め材Ｕが投入してある。
【００５１】
また、図１に示した擁壁にあっては、基礎ブロック１上に１段目の擁壁用ブロック２が施工された後、前述した掘削部が埋め戻してあり、これによって、グランドレベルは、１段目の擁壁用ブロック２の高さ方向の中途位置になっている。なお、擁壁に対するグランドレベルは、掘削部の深さに応じて定まり、２段目以上の擁壁用ブロック壁２の高さ位置の場合もある。
【００５２】
この胴込め材Ｄ及び裏込め材Ｕが投入された１段目の擁壁用ブロック２上に、２段目の擁壁用ブロック２が、前壁２１、両側壁及び仕切り壁２９で囲まれる客土領域に客土Ｋが投入してある以外は、前同様に施工してあり、２段目の擁壁用ブロック２上に、３段目、４段目、…の擁壁用ブロック２，２，…がそれぞれ施工してある。なお、重積段数が少ない場合、上段の擁壁用ブロック２，２，…内に、非単粒材からなる胴込め材Ｄを充填することができる。
【００５３】
このような擁壁にあっては、基礎材層３とこれに接する基礎ブロック１とは、当該基礎ブロック１内に投入した単粒材からなる胴込め材Ｄによってつないであるため、摩擦係数μに大きな値を用いることができ、擁壁の設計上好適である。
【００５４】
一方、基礎ブロック１の奥行き寸法は、擁壁用ブロック２の奥行き寸法より大きくしてあるため、前述した（２）式から明らかな如く重積段数が同じ場合、本発明に係る擁壁の地盤反力は、基礎材層３上に擁壁用ブロック２を直接施工した従来の擁壁の地盤反力より小さい。従って、本発明に係る擁壁にあっては、奥行き寸法が小さい擁壁用ブロック２，２，…を用いた場合であっても、その重積段数を多くすることができる。
【００５５】
また、奥行き寸法が小さい擁壁用ブロック２，２，…を用いることができるため、擁壁用ブロック２，２，…の製造に要する材料コストが低く、一種類の鋳型で多数の擁壁用ブロック２，２，…を製造することができるため、製造コストも低い。従って、このように廉価な擁壁用ブロック２，２，…を用いることができるため、擁壁の施工に要するコストを低減させることができる。
【００５６】
ところで、このような擁壁にあっては、支持地盤Ｓの１段目の擁壁用ブロック２の近傍に、１段目の擁壁用ブロック２の下縁と略同じ深さの側溝を設ける場合であっても、基礎ブロック１に対する地球の反力が低下しない。従って、かかる擁壁を施工した後であっても、前記側溝を施工することができる。
【００５７】
なお、本実施例に係る擁壁にあっては、矩形枠状の基礎ブロック１を用いているが、本発明はこれに限らず、例えば、前壁及び両側壁（支持部）を設けてなり、平面視がコ字状の基礎ブロック、又は、前壁と後壁との間を梁（支持部）で連結してなり、平面視がＩ字状の基礎ブロック等を用いることができる。
【００５８】
また、基礎ブロック１の奥行き寸法は、擁壁用ブロック２の奥行き寸法より大きくしてあるが、本発明はこれに限らず、重積段数が少ない場合、擁壁用ブロック２の奥行き寸法以下の奥行き寸法の基礎ブロックを用いることもできる。このときも前同様、基礎ブロックの前壁は１段目の擁壁用ブロック２の前壁より前方になるように設置し、当該基礎ブロック内に単粒材からなる胴込め材を、当該基礎ブロックと法面Ｎとの間に単粒材からなる胴込め材を敷詰める。これによって、前同様、本発明に係る擁壁の地盤反力は、基礎材層３上に擁壁用ブロック２を直接施工した従来の擁壁の地盤反力より小さくいため、本発明に係る擁壁にあっては、奥行き寸法が小さい擁壁用ブロック２，２，…を用いた場合であっても、その重積段数を多くすることができる。
【００５９】
次に、このような擁壁の施工方法に付いて図１を用いて説明する。
法面Ｎの下端部及び支持地盤Ｓの法面Ｎに連なる適宜幅の領域は適宜深さまで断面視矩形状に掘削して掘削部を形成し、転圧した掘削部の底部上に１又は複数のサイズの単粒材を表面が略水平な基準面になるように敷詰めて基礎材層３を形成する。この基礎材層３上に基礎ブロック１を、基礎ブロック１の後壁１２が法面Ｎに当接するように載置する。かかる複数の基礎ブロック１（図１では１つのみを記載してある。）を法面に倣って横方向へ並設する。そして、各基礎ブロック１内に、前記単粒材からなる胴込め材Ｄを表面が基準面となるようにそれぞれ投入すると共に、各基礎ブロック１の両側壁に設けた固定用穴１６（１６）に滑動防止片５（５）をそれぞれ嵌合固定する。
【００６０】
次に、各基礎ブロック１上にそれぞれ１段目の擁壁用ブロック２を、その後壁２２が基礎ブロック１の後壁１２上に位置し、各前壁２１が基礎ブロック１に固定した滑動防止片５（５）に当接するように載置した後、各擁壁用ブロック２内に胴込め材Ｄを、また、擁壁用ブロック２と法面Ｎとの間に裏込め材Ｕをそれぞれ表面が基準面となるように投入すると共に、各擁壁用ブロック２の両側壁に設けた固定用穴１６（１６）に滑動防止片５（５）をそれぞれ嵌合固定する。そして、前述した掘削部を埋め戻す。
【００６１】
この胴込め材Ｄ及び裏込め材Ｕが投入された１段目の各擁壁用ブロック２上にそれぞれ、２段目の擁壁用ブロック２を、各前壁２１が１段目の各擁壁用ブロック２に固定した滑動防止片５（５）にそれぞれ当接するように載置した後、２段目の各擁壁用ブロック２内に仕切り壁２９をそれぞれ取り付けると共に、２段目の各擁壁用ブロック２の両側壁に設けた固定用穴１６（１６）に滑動防止片５（５）をそれぞれ嵌合固定する。そして、２段目の各擁壁用ブロック２内に胴込め材Ｄを、各擁壁用ブロック２と法面Ｎとの間に裏込め材Ｕをそれぞれ、仕切り壁２９の下縁位置まで投入し、各客土領域に客土Ｋを投入した後、２段目の各擁壁用ブロック２内に更に胴込め材Ｄを、各擁壁用ブロック２と法面Ｎとの間に更に裏込め材Ｕを表面が基準面となるように投入する。
【００６２】
そして、２段目の各擁壁用ブロック２上に、３段目、４段目、…の擁壁用ブロック２，２，…を、２段目の各擁壁用ブロック２と同様にそれぞれ施工することによって、擁壁を施工する。
【図面の簡単な説明】
【００６３】
【図１】本発明に係る擁壁を示す模式的側断面図である。
【図２】図１に示した基礎ブロックの平面図である。
【図３】図１に示した基礎ブロックの背面図である。
【図４】図１に示した基礎ブロックの側断面図である。
【図５】他の滑動防止片の例を示す斜視図である。
【図６】他の滑動防止片の例を示す斜視図である。
【図７】ブロック状の滑動防止片の一例を示す斜視図である
【図８】他の滑動防止部の構成を説明する説明図である。
【図９】図１に示した擁壁用ブロックのブロック本体の平面図である。
【図１０】図１に示した擁壁用ブロックのブロック本体の背面図である。
【図１１】図１に示した擁壁用ブロックのブロック本体の側断面図である。
【図１２】本出願人が従来施工した擁壁の一部を示す模式的側断面図である。
【符号の説明】
【００６４】
１    基礎ブロック
２    擁壁用ブロック
３    基礎材層
５    滑動防止片
１１    前壁
１２    後壁
１３    側壁
１４    接合部
１６    固定用穴
２０    ブロック本体
２４    接合部
２６    固定用穴
Ｄ    胴込め材
Ｕ    裏込め材
Ｎ    法面
Ｓ    支持地盤
Ｋ    客土
【図１】
2005171478.tif 000003
【図２】
2005171478.tif 000004
【図３】
2005171478.tif 000005
【図４】
2005171478.tif 000006
【図５】
2005171478.tif 000007
【図６】
2005171478.tif 000008
【図７】
2005171478.tif 000009
【図８】
2005171478.tif 000010
【図９】
2005171478.tif 000011
【図１０】
2005171478.tif 000012
【図１１】
2005171478.tif 000013
【図１２】
2005171478.tif 000014